(57)【要約】【課題】作業者がボイラの火炉内に進入することなく、火炉内に安全ネットを展張することができる安全ネットの展張方法を提供する。【解決手段】安全ネットの展張方法は、作業者の落下を防止する安全ネット３０−ｎの基端部から延出する第１の基端側ワイヤ及び第２の基端側ワイヤをボイラの火炉外に固定する工程と、安全ネット３０−ｎをボイラの火炉内に挿入する工程と、安全ネット３０−ｎの先端部から延出する第１の先端側ワイヤ３１ａを、火炉内で足場を構成する第１の主梁２１−ｎの先端部に固定するとともに、安全ネット３０−ｎの先端部から延出する第２の先端側ワイヤ３１ａを、火炉内で足場を構成する第２の主梁２１−ｎの先端部に固定する工程と、第１の主梁２１−ｎ及び第２の主梁２１−ｎを火炉内に挿入して、安全ネット３０−ｎを展張させる工程と、を含む。【選択図】図８
2018150682.tif 000002
【特許請求の範囲】
【請求項１】
作業者の落下を防止する安全ネットの基端部から延出する第１の基端側ワイヤ及び第２の基端側ワイヤをボイラの火炉外に固定する工程と、
前記安全ネットを前記ボイラの火炉内に挿入する工程と、
前記安全ネットの先端部から延出する第１の先端側ワイヤを、前記火炉内で足場を構成する第１の主梁の先端部に固定するとともに、前記安全ネットの先端部から延出する第２の先端側ワイヤを、前記火炉内で足場を構成する第２の主梁の先端部に固定する工程と、
前記第１の主梁及び前記第２の主梁を前記火炉内に挿入して、前記安全ネットを展張させる工程と、を含む
安全ネットの展張方法。
【請求項２】
作業者の落下を防止する安全ネットの基端部から延出する第１の基端側ワイヤ及び第２の基端側ワイヤをボイラの火炉外に固定する工程と、
前記安全ネットを前記ボイラの火炉内に挿入する工程と、
前記安全ネットの先端部から延出する第１の先端側ワイヤ及び第２の先端側ワイヤを、前記火炉内で足場を構成する主梁に備えられたワイヤガイドを介して、前記主梁の基端部に固定する工程と、
前記主梁を前記火炉内に挿入する工程と、
前記第１の先端側ワイヤ及び前記第２の先端側ワイヤを前記火炉外に引き出して、前記安全ネットを展張させる工程と、を含む
安全ネットの展張方法。
【請求項３】
前記安全ネットは、
対向する２つの辺にそれぞれ掛止される、第１の展張用ワイヤと第２の展張用ワイヤを備え、
前記第１の展張用ワイヤは、
前記安全ネットの先端部から延出する部分が、前記第１の先端側ワイヤであるとともに、
前記安全ネットの基端部から延出する部分が、前記第１の基端側ワイヤであり、
前記第２の展張用ワイヤは、
前記安全ネットの先端部から延出する部分が、前記第２の先端側ワイヤであるとともに、
前記安全ネットの基端部から延出する部分が、前記第２の基端側ワイヤである、
請求項１又は２に記載の安全ネットの展張方法。
【請求項４】
前記第１の基端側ワイヤを、前記火炉内と前記火炉外とを連通する第１の前壁開口部に挿通させる工程と、
前記第２の基端側ワイヤを、前記火炉内と前記火炉外とを連通する第２の前壁開口部に挿通させる工程と、を含む、
請求項１乃至３のいずれか一項に記載の安全ネットの展張方法。
【請求項５】
前記第１の先端側ワイヤと前記第２の先端側ワイヤを、前記火炉外に設置された巻上機に接続する工程を含む、
請求項１乃至４のいずれか一項に記載の安全ネットの展張方法。
【発明の詳細な説明】
【技術分野】
【０００１】
本発明は、安全ネットの展張方法に関するものである。
【背景技術】
【０００２】
発電所で使用される大型のボイラでは、火炉内の点検補修作業を行う場合、火炉内の高所で作業するために、火炉内に作業用足場を設置した後、点検補修作業を行う。火炉内の高所に作業用足場を設置する方法として、例えば特許文献１の作業用足場の設置方法がある。
【先行技術文献】
【特許文献】
【０００３】
【特許文献１】特開２０１５−４０４５１号公報
【発明の概要】
【発明が解決しようとする課題】
【０００４】
上記特許文献１の作業用足場の設置方法では、火炉外から作業用足場の基礎となる複数の主梁を火炉内に挿入する。そして、火炉内に進入した作業者が、挿入された主梁の間に足場板を架設して、作業用足場を設置する。特許文献１の作業用足場の設置方法では、足場板を架設する際、安全ネットによる安全対策がなされていない。そのため、作業者は、火炉内の高所に挿入された主梁上を移動しながら、安全ネットを展張した後、足場板を架設する。したがって、作業用足場を設置するには、作業者は、安全ネットが設置されていない火炉内に進入して、足場板を架設しなければならず、作業者が火炉内に落下するおそれがある。
【０００５】
本発明は、上記事項に鑑みてなされたものであり、その目的とするところは、作業者がボイラの火炉内に進入することなく、火炉内に安全ネットを展張することができる安全ネットの展張方法を提供することにある。
【課題を解決するための手段】
【０００６】
本発明の第１の観点に係る安全ネットの展張方法は、
作業者の落下を防止する安全ネットの基端部から延出する第１の基端側ワイヤ及び第２の基端側ワイヤをボイラの火炉外に固定する工程と、
前記安全ネットを前記ボイラの火炉内に挿入する工程と、
前記安全ネットの先端部から延出する第１の先端側ワイヤを、前記火炉内で足場を構成する第１の主梁の先端部に固定するとともに、前記安全ネットの先端部から延出する第２の先端側ワイヤを、前記火炉内で足場を構成する第２の主梁の先端部に固定する工程と、
前記第１の主梁及び前記第２の主梁を前記火炉内に挿入して、前記安全ネットを展張させる工程と、を含む。
【０００７】
本発明の第２の観点に係る安全ネットの展張方法は、
作業者の落下を防止する安全ネットの基端部から延出する第１の基端側ワイヤ及び第２の基端側ワイヤをボイラの火炉外に固定する工程と、
前記安全ネットを前記ボイラの火炉内に挿入する工程と、
前記安全ネットの先端部から延出する第１の先端側ワイヤ及び第２の先端側ワイヤを、前記火炉内で足場を構成する主梁に備えられたワイヤガイドを介して、前記主梁の基端部に固定する工程と、
前記主梁を前記火炉内に挿入する工程と、
前記第１の先端側ワイヤ及び前記第２の先端側ワイヤを前記火炉外に引き出して、前記安全ネットを展張させる工程と、を含む。
【０００８】
また、前記安全ネットは、
対向する２つの辺にそれぞれ掛止される、第１の展張用ワイヤと第２の展張用ワイヤを備え、
前記第１の展張用ワイヤは、
前記安全ネットの先端部から延出する部分が、前記第１の先端側ワイヤであるとともに、
前記安全ネットの基端部から延出する部分が、前記第１の基端側ワイヤであり、
前記第２の展張用ワイヤは、
前記安全ネットの先端部から延出する部分が、前記第２の先端側ワイヤであるとともに、
前記安全ネットの基端部から延出する部分が、前記第２の基端側ワイヤであることが好ましい。
【０００９】
また、前記第１の基端側ワイヤを、前記火炉内と前記火炉外とを連通する第１の前壁開口部に挿通させる工程と、
前記第２の基端側ワイヤを、前記火炉内と前記火炉外とを連通する第２の前壁開口部に挿通させる工程と、を含むことが好ましい。
【００１０】
また、前記第１の先端側ワイヤと前記第２の先端側ワイヤを、前記火炉外に設置された巻上機に接続する工程を含むことが好ましい。
【発明の効果】
【００１１】
本発明に係る安全ネットの展張方法によれば、作業者がボイラの火炉内に進入することなく火炉内に安全ネットを展張することができるので、安全に火炉内での作業用足場の設置及び点検補修作業を行うことが可能である。
【図面の簡単な説明】
【００１２】
【図１】（Ａ）は、ボイラ火炉の平面図であり、（Ｂ）は図１（Ａ）のＡ−Ａ’線で切断したボイラ火炉の断面側面図である。
【図２】安全ネットの平面図である。
【図３】（Ａ）は、火炉内への挿入前の安全ネットを示す火炉前壁の断面側面図であり、（Ｂ）は、火炉内への挿入開始時の安全ネットを示す火炉前壁の断面側面図である。
【図４】巻上機に接続した状態の安全ネットを示す側面図である。
【図５】（Ａ）〜（Ｄ）は、安全ネットを火炉内に挿入する手順を示す概念図である。
【図６】（Ａ）は、火炉内への挿入が完了した状態の安全ネット及び主梁を示す斜視図であり、（Ｂ）は、火炉内への挿入が完了した状態の安全ネット及び主梁を示す側面図である。
【図７】（Ａ）は、火炉内へ主梁が挿入された状態の安全ネット及び主梁を示す斜視図であり、（Ｂ）は、火炉内へ主梁が挿入された状態の安全ネット及び主梁を示す側面図である。
【図８】（Ａ）は、展張中の安全ネットの平面図であり、（Ｂ）は、展張中の安全ネットの側面図である。
【図９】（Ａ）は、展張が完了した安全ネットの平面図であり、（Ｂ）は、展張が完了した安全ネットの側面図である。
【図１０】主梁の火炉内への挿入とともに展張される安全ネットの平面図である。
【発明を実施するための形態】
【００１３】
以下、図を参照しつつ、本発明に係る実施の形態について説明する。
【００１４】
本実施の形態では、火力発電所に設置されるボイラの火炉内で点検補修作業を行う場合の安全ネットの展張方法を例として説明する。より具体的には、作業者の落下防止対策が重要となる火炉内上部に作業用足場を設置する場合について説明する。
【００１５】
図１（Ａ）のボイラ火炉の平面図に示すように、火炉前壁１１と、火炉側壁１２、１３と、火炉後壁１４とで囲まれた領域が、ボイラの火炉内である。火炉内で点検補修作業を実施するための作業用足場は、図１（Ａ）のように、火炉内に挿入された複数の主梁２１−ｎ（ｎは自然数）の間に足場板（図示せず）を架設して設置される。
【００１６】
火炉前壁１１は、火炉内と火炉外とをつなぐ複数の前壁開口部１５−ｎを備える。本実施の形態では、前壁開口部１５−ｎは、９箇所（１５−１〜１５−９）備えられている。各前壁開口部１５−ｎは、ボイラ火炉の同じ高さに、所定の間隔で設けられている。
【００１７】
火炉後壁１４は、火炉前壁１１と対向する位置で、火炉内と火炉外とを隔てる壁である。また、火炉後壁１４には、デアーチパネル１４ａが備えられている。
【００１８】
デアーチパネル１４ａは、図１（Ｂ）に示すように、火炉後壁１４の上部に設けられ、火炉内側に突出するように構成された凸状の壁面部である。デアーチパネル１４ａの下面部には、後壁開口部１６−ｎが備えられている。後壁開口部１６−ｎは、前壁開口部１５−ｎにそれぞれ対向する位置に９箇所（１６−１〜１６−９）設けられている。
【００１９】
火炉側壁１２、１３は、火炉前壁１１と火炉後壁１４とをつないで、ボイラ火炉の側壁を構成する。
【００２０】
主梁２１−ｎは、火炉前壁１１と火炉後壁１４との間に架け渡されて、作業用足場の基礎となる梁である。主梁２１−ｎは、例えば、鋼製であって、火炉内に進入して点検補修作業を実施する作業者、主梁２１−ｎに架設される足場板等を支持するための強度を有する。
【００２１】
本実施の形態では、主梁２１−ｎは、火炉内全体に作業用足場を設置できるように、９本（２１−１〜２１−９）備えられる。また、主梁２１−ｎは、図１（Ｂ）に示すように、５つの主梁本体２１−ｎａ〜２１−ｎｅを連結することにより、１つの主梁２１−ｎを構成する。これにより、炉外での主梁２１−ｎの移動、保管等を容易とすることができる。
【００２２】
また、主梁２１−ｎは、図６（Ａ）、（Ｂ）で後述するように、ワイヤガイドを備えている。具体的には、主梁２１−ｎの火炉内側先端部に、安全ネット３０−ｎの展張用ワイヤ３１を案内するワイヤガイドであるガイドプーリー２６を備える。また、主梁２１−ｎの中間部には、展張用ワイヤ３１を案内するワイヤガイドである複数のガイドフック２７が備えられる。
【００２３】
主梁２１−ｎは、図１（Ａ）、（Ｂ）のように、前壁開口部１５−ｎの手前、すなわち火炉外に設置されたローラー基台２５−ｎに載置され、火炉内へと送り出される。主梁２１−ｎは、ローラー基台２５−ｎに設置されたローラー（図示せず）上に載置されており、ローラーの回転によって、小さな力で火炉内へ挿入することができる。
【００２４】
安全ネット３０−ｎ（３０−１〜３０−８）は、図９で後述するように、火炉内で作業する作業者の落下を防止するために、隣り合う主梁２１−ｎの間に設置される落下防止用のネットである。本実施の形態では、安全ネット３０−ｎは、主に、主梁２１−ｎを火炉内に挿入した後、作業者が主梁２１−ｎ間に足場板を架設する作業を行う際の落下を防止する。
【００２５】
本実施の形態の安全ネット３０−ｎは、隣り合う主梁２１−ｎの間の領域に展張される大きさに設定された矩形状のネットである。図２に示すように、安全ネット３０−ｎの、主梁２１−ｎに沿って展張される、対向する両縁部には、それぞれ展張用ワイヤ３１（第１の展張用ワイヤ及び第２の展張用ワイヤ）が取り付けられている。
【００２６】
続いて、安全ネット３０−ｎの展張及び作業用足場の設置手順について説明する。まず、火炉前壁１１の各前壁開口部１５−ｎの手前、すなわち火炉外に、ローラー基台２５−ｎを設置する。ローラー基台２５−ｎは、ローラーの送り出し方向が、前壁開口部１５−ｎを向く方向に設置される。設置されたローラー基台２５−ｎに主梁２１−ｎを載置する。そして、前壁開口部１５−ｎを開口する。
【００２７】
図３（Ａ）、（Ｂ）に示すように、前壁開口部１５−ｎの上部の火炉外側には、上側ネットガイド３５が取り付けられ、前壁開口部１５−ｎの下部の火炉内側には、下側ネットガイド３６が取り付けられる。上側ネットガイド３５と下側ネットガイド３６は、安全ネット３０−ｎを傷付けることなく、火炉内へと挿入するための、保護部材である。例えば、図３（Ａ）、（Ｂ）に示すように、上側ネットガイド３５は、前壁開口部１５−ｎの上縁を覆うように取り付けられるパイプ状の保護部材である。また、下側ネットガイド３６は、前壁開口部１５−ｎの下辺に、火炉内にせり出すように取り付けられるフレーム部と、フレーム部の火炉内にせり出す先端に回転可能に取り付けられた円筒状のローラー部とを備える。
【００２８】
続いて、図４に示すように、安全ネット３０−ｎに取り付けられた２本の展張用ワイヤ３１の一方の端部を、火炉前壁１１の火炉外側の面で、前壁開口部１５−ｎの上部に取り付けられた巻上機３７のホイストワイヤ３７ａに連結する。安全ネット３０−ｎの巻上機３７に連結された側は、安全ネット３０−ｎを展張した時に、主梁２１−ｎの火炉内側先端部に位置する側（以下、先端側という）である。また、図２に示すように、安全ネット３０−ｎの先端側から延出する展張用ワイヤ３１を先端側ワイヤ３１ａという。安全ネット３０−ｎの先端側と反対側は、安全ネット３０−ｎを展張した時に、主梁２１−ｎの火炉前壁１１側基端部に位置する側（以下、基端側という）である。また、安全ネット３０−ｎの基端側から延出する展張用ワイヤ３１を基端側ワイヤ３１ｂという。
【００２９】
巻上機３７は、安全ネット３０−ｎの火炉内への落下を防止するとともに、安全ネット３０−ｎをスムーズに火炉内へと送り出すために、安全ネット３０−ｎと接続される。本実施の形態の巻上機３７は、圧縮空気を動力とするワイヤ式のエアホイストである。そして、安全ネット３０−ｎの基端側から延出する基端側ワイヤ３１ｂを、図３（Ａ）のように、前壁開口部１５−ｎの下部に配置されたワイヤ固定部３８に取り付ける。
【００３０】
続いて、図３（Ｂ）に示すように、巻上機３７からホイストワイヤ３７ａを引き出しながら、安全ネット３０−ｎを引き下ろす。引き下ろされた安全ネット３０−ｎは、図３（Ｂ）中に白抜き矢印で示すように、前壁開口部１５−ｎを通して、火炉内へと順次挿入される。
【００３１】
図５（Ａ）〜（Ｄ）は、火炉内へ挿入される安全ネット３０−ｎの状態を段階的に示した概念図である。図５（Ａ）は、安全ネット３０−１を火炉内に挿入する前の状態である。図５（Ａ）では、２本の基端側ワイヤ３１ｂのうち一方（第１の基端側ワイヤ）が、前壁開口部１５−１（第１の前壁開口部）の火炉外に設置された図示しないワイヤ固定部３８（第１のワイヤ固定部）に接続されている。そして、他方の基端側ワイヤ３１ｂ（第２の基端側ワイヤ）は、一旦、火炉内に挿入された後、前壁開口部１５−１の隣に位置する前壁開口部１５−２（第２の前壁開口部）を通して、火炉外へと引き出され、前壁開口部１５−２の火炉外に設置された図示しないワイヤ固定部３８（第２のワイヤ固定部）に接続されている。基端側ワイヤ３１ｂの前壁開口部１５−２からの引き出しは、例えば、先端にフックを備える竿を用いて、火炉外から行われる。これにより、作業者は、火炉内に進入することなく、基端側ワイヤ３１ｂを引き出すことができる。
【００３２】
続いて、図５（Ｂ）のように、安全ネット３０−１を火炉内へと挿入する。そして、図５（Ｃ）に示すように、安全ネット３０−１の先端側縁部が、前壁開口部１５−１に達する程度の位置で、前壁開口部１５−２から引き出された基端側ワイヤ３１ｂ（第２の基端側ワイヤ）と一体である先端側ワイヤ３１ａ（第２の先端側ワイヤ）をホイストワイヤ３７ａから切り離す。そして、切り離した先端側ワイヤ３１ａを火炉内へ挿入する。火炉内に挿入された先端側ワイヤ３１ａは、上述の基端側ワイヤ３１ｂ（第２の基端側ワイヤ）と同様に、竿を使って、前壁開口部１５−２を通して火炉外へと引き出される。その後、図５（Ｄ）のように、他方の先端側ワイヤ３１ａ、すなわち前壁開口部１５−１側の基端側ワイヤ３１ｂ（第１の基端側ワイヤ）と一体である先端側ワイヤ３１ａ（第１の先端側ワイヤ）と、ホイストワイヤ３７ａとを切り離す。
【００３３】
上述の手順を繰り返して、図６（Ａ）に示すように、安全ネット３０−ｎは、各主梁２１−ｎの間に位置するように、火炉内に挿入される。先端側ワイヤ３１ａは、図６（Ａ）、（Ｂ）に示すように、主梁２１−ｎの先端部のガイドプーリー２６及び主梁２１−ｎの中間部に複数設置されたガイドフック２７に掛けられて、主梁２１−ｎの基端部に接続される。
【００３４】
続いて、図７（Ａ）、（Ｂ）に示すように、主梁２１−ｎを火炉内へ挿入する。主梁２１−ｎのボイラ１の炉内への挿入は、上述したように、主梁２１−ｎをローラー基台２５−ｎから送り出して行う。
【００３５】
主梁２１−ｎの火炉内への挿入が完了した状態で、ローラー基台２５−ｎのローラーを固定して、ローラー基台２５−ｎ上の主梁２１−ｎを固定する。そして、図８（Ｂ）に示すように、デアーチパネル１４ａの後壁開口部１６−ｎを開口する。主梁２１−ｎの先端部は、後壁開口部１６−ｎを通して梁１４ｂから吊り下げられた吊りロッド１４ｃに接続されて、支持される。これにより、各主梁２１−ｎは、火炉内に固定された状態となる。
【００３６】
主梁２１−ｎの固定が完了した後、図８（Ｂ）に示すように、各安全ネット３０−ｎの先端側ワイヤ３１ａを火炉外へと引き出す。先端側ワイヤ３１ａの引き出しは、各安全ネット３０−ｎごとに行う。例えば、安全ネット３０−１の、主梁２１−１に接続されている先端側ワイヤ３１ａと、主梁２１−２に接続されている先端側ワイヤ３１ａとを同時に、火炉外に引き出す。これにより、安全ネット３０−１は、主梁２１−ｎの火炉内側先端部へと展張される。安全ネット３０−１が展張された状態で、先端側ワイヤ３１ａを主梁２１−ｎの基端部に固定する。これにより、安全ネット３０−１の設置が完了する。
【００３７】
安全ネット３０−２〜３０−８も同様に、先端側ワイヤ３１ａを火炉外へと引き出すことによって、図８（Ａ）、（Ｂ）のように、順次、火炉内に展張して、固定する。
【００３８】
図９に示すように、全ての安全ネット３０−ｎの展張が完了した後、作業者は、火炉内に進入して、主梁２１−ｎ上を移動しながら、主梁２１−ｎに足場板を架設して、作業用足場を設置する。
【００３９】
以上説明したように、本実施の形態に係る安全ネットの展張方法では、ボイラの火炉内に進入することなく、火炉内に安全ネット３０−ｎを展張することができるので、安全に火炉内での点検補修作業を実施することが可能である。
【００４０】
上記実施の形態では、１つの安全ネット３０−ｎの先端側ワイヤ３１ａを隣り合う前壁開口部１５−ｎから引き出すこととしたが、これに限られない。例えば、前壁開口部１５−１と前壁開口部１５−３のように、２つ隣の前壁開口部１５−ｎから引き出すこととしてもよい。これにより、少ない手順で安全ネットを展張することができるとともに、安全ネット同士の隙間を少なくして、安全に作業を行うことができる。
【００４１】
また、上記実施の形態では、主梁２１−ｎの先端部に備えられたガイドプーリー２６を介して、先端側ワイヤ３１ａを主梁２１−ｎの基端側に引き出すこととしたが、これに限られない。例えば、ガイドプーリー２６の代わりにガイドフック２７を備えることとしてもよい。
【００４２】
また、上記実施の形態では、主梁２１−ｎを火炉内に挿入した後に、先端側ワイヤ３１ａを前壁開口部１５−ｎから引き出して、安全ネット３０−ｎを展張させることとしたが、これに限られない。例えば、主梁２１−ｎを火炉内に挿入する前に、先端側ワイヤ３１を主梁２１−ｎの先端部に固定することとしてもよい。すなわち、第１の先端側ワイヤ３１ａを第１の主梁２１−ｎの先端部に固定し、第２の先端側ワイヤ３１ａを第２の主梁２１−ｎの先端部に固定する。これにより、図１０に示すように、主梁２１−ｎを火炉内に挿入するとともに、安全ネット３０−ｎを展張させることができる。また、この場合、各安全ネット３０−ｎが取り付けられた主梁２１−ｎを同時に火炉内に挿入することで、安全ネット３０−ｎを破損することなく、展張させることができる。
【００４３】
また、上記実施の形態では、安全ネット３０−ｎは、矩形状であることとしたが、これに限られず、作業者が火炉内で移動する範囲のみに展張される大きさ、形状であってもよい。
【符号の説明】
【００４４】
１        ボイラ
１１      火炉前壁
１２，１３  火炉側壁
１４      火炉後壁
１４ａ    デアーチパネル
１４ｂ    梁
１４ｃ    吊りロッド
１５−ｎ  前壁開口部
１６−ｎ  後壁開口部
２１−ｎ  主梁
２１−ｎａ〜２１−ｎｅ  主梁本体
２５−ｎ  ローラー基台
２６      ガイドプーリー
２７      ガイドフック
３０−ｎ  安全ネット
３１      展張用ワイヤ
３１ａ    先端側ワイヤ
３１ｂ    基端側ワイヤ
３５      上側ネットガイド
３６      下側ネットガイド
３７      巻上機
３７ａ    ホイストワイヤ
３８      ワイヤ固定部
【図１】
2018150682.tif 000003
【図２】
2018150682.tif 000004
【図３】
2018150682.tif 000005
【図４】
2018150682.tif 000006
【図５】
2018150682.tif 000007
【図６】
2018150682.tif 000008
【図７】
2018150682.tif 000009
【図８】
2018150682.tif 000010
【図９】
2018150682.tif 000011
【図１０】
2018150682.tif 000012